(57)【要約】  【課題】医療情報を含むプライバシー情報の種類に応じて秘匿レベルの管理を可能にするプライバシー情報表示システムを提供することを目的とする。  【解決手段】  プライバシー情報にそのプライバシー情報の秘匿基準を定めたプライバシーランク情報を付加して記録する情報登録部１１及び記録部１２と、プライバシーランク情報を参照して、前記プライバシー情報の秘匿基準を判定するプライバシー判定部１３と、前記プライバシー情報が所定の秘匿基準を有することを通知するための警告表示を行なう表示手段１４とを備える。  【選択図】      図１
2006202130.tif 000002
【特許請求の範囲】
【請求項１】
プライバシー情報を入力する情報入力部と、
前記プライバシー情報にそのプライバシー情報の秘匿基準を定めたプライバシーランク情報を付加する情報登録部と、
前記プライバシーランク情報を付加されたプライバシー情報を格納する記録部と、
前記プライバシー情報に付加されたプライバシーランク情報を参照して、前記プライバシー情報の秘匿基準を判定するプライバシー判定部と、
前記プライバシー情報を表示するとともに、前記プライバシー判定部により前記プライバシー情報が所定の秘匿基準があると判定された場合に、前記プライバシー情報が所定の秘匿基準を有することを通知するための警告表示を行なう表示手段と、
を備えることを特徴とするプライバシー情報表示システム。
【請求項２】
前記表示手段に表示されたプライバシー情報が前記所定の秘匿基準を有する場合に、前記表示されたプライバシー情報を隠匿するための指示を入力するための隠匿指示手段を更に備える、
ことを特徴とする請求項１に記載のプライバシー情報表示システム。
【請求項３】
ユーザを特定するためのユーザ識別情報又はプライバシー情報を表示させる表示手段を特定するための装置識別情報と、プライバシー情報と、を入力する情報入力部と、
前記プライバシー情報にそのプライバシー情報の秘匿基準を定めたプライバシーランク情報を付加する情報登録部と、
前記プライバシーランク情報を付加されたプライバシー情報を格納する記録部と、
前記プライバシー情報を表示させるための表示手段と、
前記記録部にアクセス可能なユーザを特定するユーザ識別情報又は前記記録部に格納されたプライバシー情報を表示可能な表示手段を特定する装置識別情報と、前記プライバシーランク情報と、を対応付けたアクセス権情報を格納するアクセス権情報格納手段と、
前記アクセス権情報及び前記プライバシー情報に付加されたプライバシーランク情報に基づいて、前記情報入力部に入力された前記ユーザ識別情報に対応するユーザに対して表示可能なプライバシー情報又は前記情報入力部に入力された前記装置識別情報に対応する表示手段が表示可能なプライバシー情報を決定するアクセス権チェック部と、
を備えることを特徴とするプライバシー情報表示システム。
【請求項４】
前記プライバシー情報表示システムは、ネットワークを介して外部システムに接続され、
前記記憶部に格納されたプライバシー情報を前記外部システムに出力するときに、前記プライバシー情報に付加されたプライバシーランク情報に基づいて、前記外部システムに対する前記プライバシー情報の出力を許可するか許可しないかを判定するための外部情報編集部を更に備える、
ことを特徴とする請求項１乃至３の一つに記載のプライバシー情報表示システム。
【発明の詳細な説明】
【技術分野】
【０００１】
本発明は、プライバシー情報表示システムに係り、特に画面表示されたプライバシー情報にプライバシー情報が表示されているかを明示し、見ている人にプライバシー保護の注意を喚起させる技術に関する。
【背景技術】
【０００２】
患者へのインフォームドコンセントや電子カルテの情報開示等患者への医療情報を開示する動きがある。これは、医療過誤の回避や医療の信頼性、透明性を高める上で有効である。一方、個人の医療情報は、プライバシー保護の観点から取り扱いに充分な配慮が必要であり、安易に医療情報が開示されることを防止しなければならない。特許文献１には、インフォームドコンセントの際、患者本人だけに医療データを見せることの容易な医療情報システムが開示されている。
【特許文献１】特開２００３−９９５４１号公報
【発明の開示】
【発明が解決しようとする課題】
【０００３】
しかし、個人の医療情報にはさまざまな種類のものがあり、開示できる範囲も種類によって異なる場合がある。
【０００４】
そこで本発明は、医療情報を含むプライバシー情報の種類に応じた秘匿レベルの管理を可能にするプライバシー情報表示システムを提供することを目的とする。
【課題を解決するための手段】
【０００５】
前記目的を達成するために、本発明に係るプライバシー情報表示システムは、プライバシー情報を入力する情報入力部と、前記プライバシー情報にそのプライバシー情報の秘匿基準を定めたプライバシーランク情報を付加する情報登録部と、前記プライバシーランク情報を付加されたプライバシー情報を格納する記録部と、前記プライバシー情報に付加されたプライバシーランク情報を参照して、前記プライバシー情報の秘匿基準を判定するプライバシー判定部と、前記プライバシー情報を表示するとともに、前記プライバシー判定部により前記プライバシー情報が所定の秘匿基準があると判定された場合に、前記プライバシー情報が所定の秘匿基準を有することを通知するための警告表示を行なう表示手段と、を備える。
【０００６】
また、本発明は、前記表示手段に表示されたプライバシー情報が前記所定の秘匿基準を有する場合に、前記表示されたプライバシー情報を隠匿するための指示を入力するための隠匿指示手段を更に備える。
【０００７】
更に、本発明に係るプライバシー情報表示システムは、ユーザを特定するためのユーザ識別情報又はプライバシー情報を表示させる表示手段を特定するための装置識別情報と、プライバシー情報と、を入力する情報入力部と、前記プライバシー情報にそのプライバシー情報の秘匿基準を定めたプライバシーランク情報を付加する情報登録部と、前記プライバシーランク情報を付加されたプライバシー情報を格納する記録部と、前記プライバシー情報を表示させるための表示手段と、前記記録部にアクセス可能なユーザを特定するユーザ識別情報又は前記記録部に格納されたプライバシー情報を表示可能な表示手段を特定する装置識別情報と、前記プライバシーランク情報と、を対応付けたアクセス権情報を格納するアクセス権情報格納手段と、前記アクセス権情報及び前記プライバシー情報に付加されたプライバシーランク情報に基づいて、前記情報入力部に入力された前記ユーザ識別情報に対応するユーザに対して表示可能なプライバシー情報又は前記情報入力部に入力された前記装置識別情報に対応する表示手段が表示可能なプライバシー情報を決定するアクセス権チェック部と、を備える。
【０００８】
さらに、本発明は、ネットワークを介して外部システムに接続され、前記記憶部に格納されたプライバシー情報を前記外部システムに出力するときに、前記プライバシー情報に付加されたプライバシーランク情報に基づいて、前記外部システムに対する前記プライバシー情報の出力を許可するか許可しないかを判定するための外部情報編集部を更に備える。
【発明の効果】
【０００９】
本発明によれば、プライバシー情報にプライバシーランク情報を付加して記録し、そのプライバシーランク情報に基づいて画面表示制限をしたり、外部出力制限をしたりすることができる。そのため、医療情報を含むプライバシー情報の種類に応じて秘匿レベルの管理を可能にするプライバシー情報表示システムを提供することができる。
【発明を実施するための最良の形態】
【００１０】
以下、添付図面に従って本発明にかかるクリニカルパス表示システムを実施するための形態を説明する。
【００１１】
[第一実施形態]
図１は、本発明に係るプライバシー情報表示システム１の構成を示す全体構成図である。
【００１２】
プライバシー情報表示システム１は、入力されたプライバシー情報を、患者情報や医療情報に振分けて、その患者情報や医療情報の種類に対応した秘匿基準を定めたプライバシーランク情報を付加する患者情報登録部１１と、プライバシーランク情報が付加されたプライバシー情報（以下「ランク付け情報」という。）を格納する記録部１２と、プライバシーランク情報に基づいて患者情報や医療情報を画面表示させるか否かを判定するプライバシー判定部１３と、プライバシー判定部１３の判定結果に基づいて表示画面の編集を行なう画面編集部１４と、画面編集部１４が編集した表示画面を表示したり、ログイン操作やプライバシー情報の入力をしたりする表示操作部１５とを備える。表示操作部１５は、診察医専用端末１６と、診察医及び患者共用端末１７とを備える。更にプライバシー情報表示システム１は、プライバシー情報にアクセスできるか否かをチェックするアクセス権チェック部１８を備える。上記各構成要素は、共通バス１９により互いに接続される。
【００１３】
また、上記診察医専用端末１６は、診察医専用モニタ１６ａ、医療情報等の入力を行うためのキーボード１６ｂ及びマウス１６ｃを備える。同様に診察医及び患者共用端末１７には、診察医及び患者共用モニタ１７ａ、キーボード１７ｂ及びマウス１７ｃを備える
次に図２乃至図４に基づいて、プライバシー情報表示システム１の各処理について説明する。図２は、第一実施形態に係るプライバシー情報表示システム１の処理手順を示すフローチャートである。図３は、第一実施形態に係るプライバシー情報表示システムの処理内容を示す模式図である。図４は、記録部に格納される情報例及び画面表示例を示す模式図である。以下、図２の各ステップ順に説明する。
【００１４】
（ステップＳ１）
まず、診察医専用端末１６からプライバシー情報システム１へログインすることにより、ログイン情報が記録部１２に登録される。そして、診察等の行為により得られた情報を入力する。また、診察医専用端末１６を構成する診察医専用モニタ１６ａの装置種別を識別する装置識別情報も合わせて入力するか、自動入力させることにより記録部１２に登録される。
【００１５】
（ステップＳ２）
Ｓ１で入力された情報は、医療情報と患者情報とに振分を行い、プライバシーランク情報を付加して記録部１２に登録される。例えば図４では、患者情報にはプライバシーランクＡを、診療情報、オーダ情報、検査結果情報、処方情報、病名情報、入院情報にはプライバシーランクＢを、病名等を識別するためのマスターコードにはプライバシーランクＣを付加して記録部１２に格納する。ここでは、プライバシーランクＡ、Ｂ、Ｃの順に秘匿基準が高い、すなわち、開示できるユーザや表示できる表示手段が少ないように設定する。
【００１６】
また、患者情報に診療情報、オーダー情報等の情報を関連付けた履歴情報を生成して格納する場合には、履歴情報に含まれる各種情報のうち最も高いプライバシーランクをその履歴情報に付加する。図１４の例では、履歴情報に患者情報と同等のプライバシーランクＡを付加する。
【００１７】
（ステップＳ３）
後日、再度診察に訪れた患者に対する診察を行うときに、診察医専用端末１６から診察患者を指定する（Ｓ３）。
【００１８】
（ステップＳ４）
記録部１２を検索し、プライバシーランク情報が付加された患者の医療過去履歴（ランク付け情報）を抽出する（Ｓ４）。
【００１９】
（ステップＳ５）
プライバシー判定部１３へリンクする（Ｓ５）。
【００２０】
記録部１２より患者の医療過去履歴に対するプライバシーランク情報を抽出する（Ｓ５０１）。
【００２１】
次に、モニタ別表示ランク設定情報と表示対象のモニタの装置識別情報とに基づいて表示対象のモニタのプライバシー表示制限を決定する。そのプライバシー表示制限とプライバシーランク情報との比較結果を抽出する（Ｓ５０２）。そして、ステップＳ６へ進む。
【００２２】
（ステップＳ６）
画面編集部１４にリンクする（Ｓ６）。
【００２３】
Ｓ５０２で抽出したプライバシーランク情報とプライバシー表示制限との比較結果に基づいて、プライバシー表示制限内にあるか、オーバーであるかを判定する（Ｓ６０１）。
【００２４】
プライバシー表示制限内であれば、プライバシー情報を編集表示する（Ｓ６０２）とともに、図４に示すようにプライバシー警告表示４０を編集表示する（Ｓ６０３）。これにより、プライバシー情報が画面に表示されていることがわかり、プライバシー情報を注意深く取り扱うことができる。
【００２５】
プライバシー表示制限オーバーであれば、プライバシー情報を非表示とする（Ｓ６０４）。これにより、プライバシー情報を見せてはいけないユーザに対して、プライバシー情報を開示することを防ぐ。
【００２６】
また、画面編集部１４では、モニタ別表示ランク設定情報を参照し、表示画面を出力するモニタの装置種別、例えば診察医専用モニタ１６ａや診察医及び患者共用モニタ１７ａなどに応じて、表示するプライバシー情報の内容を変えても良い。例えば、診察医専用モニタ１６ａには、診察している患者（該当患者）以外の患者の情報を診察の参考資料として表示させ、診察医及び患者共用モニタ１７ａには該当患者に関する医療情報のみを表示させても良い。
【００２７】
[第二実施形態]
次に図５に基づいて第二実施形態について説明する。第二実施形態は、第一実施形態に係る処理に加えて、ログインしたユーザ毎にプライバシー情報へのアクセス権をチェック処理を行なう。図５は、第二実施形態に係るプライバシー情報表示システムの処理内容を示す模式図である。
【００２８】
診察医専用端末１６によりログインすることにより（Ｓ１）、ログイン情報が記録部１２に登録される。診察等の行為により、患者に関する情報を入力し、プライバシー情報振分により履歴情報、医療情報、患者情報を記録部１２に登録する（Ｓ２、３）。後日、再度診察に訪れた患者に対する診察を行うとき、診察医専用端末１６よりログインし、ログイン情報を記録部１２に登録したあと、診察患者を指定し、アクセス権チェック部１８へリンクする（Ｓ７）。
【００２９】
記録部１２には、あらかじめログイン者とアクセス権限との関係を対応付けてアクセス権情報を格納しておく。そして、アクセス権チェック部１８は、記録部１２よりログイン情報とアクセス権情報を抽出し、アクセス権情報を参照しながら、そのログイン者に対して表示可能なプライバシーランクを抽出する。
【００３０】
次にプライバシー判定部１３へリンクする。ここでは、記録部１２より患者の履歴情報、医療情報、患者情報とプライバシーランク情報とを抽出し、プライバシーランク情報とアクセス権チェックの結果に基づいて、ユーザ又は表示手段にあったプライバシー表示制限を決定する（Ｓ５）。
【００３１】
次に画面編集部１４で、プライバシーランク情報とプライバシー表示制限との比較結果によりプライバシー表示制限オーバーであれば、プライバシー情報を非表示とし、プライバシー表示制限内であれば、プライバシー情報を編集表示するとともにプライバシー警告を編集表示する（Ｓ６）。そして、診察医専用モニタ１６ａ又は診察医及び患者共用モニタ１７ａに画面表示する。
【００３２】
[第三実施形態]
次に図６に基づいて、第三実施形態について説明する。図６は、第三実施形態に係るプライバシー情報表示システムの処理内容を示す模式図である。
【００３３】
診察医専用モニタ１６ａは、指定された患者の情報を表示するプライバシー情報表示画面６０と、所定の情報を匿名情報に置き換えて表示する匿名化情報表示画面６１とを切り替えて表示する。
【００３４】
プライバシー情報表示画面６０では、氏名、生年月日、住所、健康保険、病名、感染症等の情報を表示するとともに、プライバシー表示抑制ボタン６２も表示する。プライバシー表示抑制ボタン６２がマウス１６ｃによりクリックされると、プライバシー情報の表示を抑制するために、匿名化情報表示画面６１に切替わる（Ｓ８）。
【００３５】
匿名化情報表示画面６１を編集表示するときには、あらかじめ記録部１２に用意された匿名情報６３を抽出し、患者情報の該当表示箇所を置換え編集する。これにより、例えば、プライバシー情報表示画面６０では、実際の健康保険名が表示されているが、この実際の健康保険名を匿名健康保険名に置き換えて表示する（Ｓ９）。更に、匿名化情報表示画面６１には、プライバシー再表示ボタン６４も合わせて表示する。このプライバイー再表示ボタン６４と、再度プライバシー情報表示画面６０が表示される。これにより、ワンタッチでプライバシー情報の表示を隠したり、再表示したりできる。
【００３６】
[第四実施形態]
次に図７に基づいて第四実施形態について説明する。第四実施形態では、プライバシー情報表示システム１は、院外の外部システムＡ及び外部システムＢにインターネットなどの公衆回線網や専用回線からなるネットワークを介して接続される。そして、外部システムＡからプライバシー情報を取得するとともに、外部システムＢに対してプライバシー情報を出力する。ここでいう外部システムＡ及び外部システムＢには、例えば同系列の他の病院のシステムがある。そして、本実施の形態では、例えば、他の病院で行なわれた検査結果やＸ線ＣＴ画像などの撮影画像を、院内のプライバシー情報表示システム１と外部システムＡ及び外部システムＢとの間で入出力する。
【００３７】
まず、外部システムＡが、外部情報（患者情報や医療情報）にプライバシーランク情報を付加して院内のプライバシー情報表示システム１に出力する。
【００３８】
プライバシー情報表示システム１は、外部情報の入力を受付けた後（Ｓ１０）、外部情報を患者情報と医療情報とに振分ける（Ｓ２）。そして、振り分けた患者情報と医療情報とにプライバシーランク情報を付加して記録部１２に格納する（Ｓ３）。
【００３９】
次に、院内のプライバシー情報表示システム１から外部システムＢに、記録部１２に格納した患者情報や医療情報を出力する処理について説明する。
【００４０】
まず、記録部１２からプライバシーランク情報が付加された患者情報や医療情（ランク付け情報）を抽出する（Ｓ４）。そしてプライバシーランク情報に基づいて外部システムＢに出力しても良いか否かを判定し、出力できない情報については匿名情報に置き換えるなど外部情報編集を行なう（Ｓ１１）。そして、外部システムＢに対して、プライバシーランク情報と外部情報とを出力する（Ｓ１２）。これにより、外部システムとプライバシー情報を入出力する場合にも、プライバシー情報の種類によって外部出力の制限を行なうことができ、プライバシー情報の保護を図ることができる。
【図面の簡単な説明】
【００４１】
【図１】プライバシー情報表示システムの全体構成図
【図２】第一実施形態に係るプライバシー情報表示システムの処理手順を示すフローチャート
【図３】第一実施形態に係るプライバシー情報表示システムの処理内容を示す模式図
【図４】記録部に格納される情報例及び画面表示例を示す模式図
【図５】第二実施形態に係るプライバシー情報表示システムの処理内容を示す模式図
【図６】第三実施形態に係るプライバシー情報表示システムの処理内容を示す模式図
【図７】第四実施形態に係るプライバシー情報表示システムの処理内容を示す模式図
【符号の説明】
【００４２】
１…プライバシー情報表示システム、１１…患者情報登録部、１２…記録部、１３…プライバシー判定部、１４…画面編集部、１５…表示操作部、１６…診察医専用端末、１６ａ…診察医専用モニタ、１６ｂ…キーボード、１６ｃ…マウス、１７…診察医及び患者共用端末、１７ａ…診察医及び患者共用モニタ、１７ｂ…キーボード、１７ｃ…マウス、１８…アクセス権チェック部、１９…共通バス
【図１】
2006202130.tif 000003
【図２】
2006202130.tif 000004
【図３】
2006202130.tif 000005
【図４】
2006202130.tif 000006
【図５】
2006202130.tif 000007
【図６】
2006202130.tif 000008
【図７】
2006202130.tif 000009